(57)【要約】【課題】搬送ベルトにインクを付着させることなく縁なし記録を実施することができるインクジェット記録装置およびインクジェット記録方法を提供すること。【課題手段】シート３の端部３ｂ、３ｃが搬送ベルト６上に位置する形態でシート３が搬送されるときは、その端部３ｂ、３ｃに画像を記録するためのインクは記録ヘッドから吐出しない。シート３の端部３ｂ、３ｃが搬送ベルト６上に位置しない形態でシート３が搬送されるときは、その端部３ｂ、３ｃに画像を記録するためのインクを記録ヘッドから吐出する。【選択図】図５
2013252620.tif 000002
【特許請求の範囲】
【請求項１】
搬送ベルトによって搬送される記録媒体に、記録ヘッドからインクを吐出することにより画像を記録するインクジェット記録装置であって、
前記搬送ベルトによって前記記録媒体を複数回搬送させる搬送制御手段と、
前記搬送ベルトによって搬送される前記記録媒体の形態として、前記記録媒体の端部が前記搬送ベルトの上に位置する第１の形態と、前記端部が前記搬送ベルトの上から外れて位置する第２の形態と、を設定可能な設定手段と、
前記記録媒体が前記第１の形態で搬送されるときに、前記端部に画像を記録するためのインクを前記記録ヘッドから吐出させず、前記記録媒体が前記第２の形態で搬送されるときに、前記端部に画像を記録するためのインクを前記記録ヘッドから吐出させる記録制御手段と、
を備えることを特徴とするインクジェット記録装置。
【請求項２】
前記搬送ベルトは、間隔をおいて並設された複数の無端ベルトを含むことを特徴とする請求項１に記載のインクジェット記録装置。
【請求項３】
前記搬送ベルトは、前記記録媒体を一方向および逆方向に搬送可能であることを特徴とする請求項１または２に記載のインクジェット記録装置。
【請求項４】
前記設定手段は、前記記録媒体を載置したまま回転するテーブルを含むことを特徴とする請求項１からまたは３のいずれかに記載のインクジェット記録装置。
【請求項５】
前記設定手段は、前記記録媒体を載置したままスライドするテーブルを含むことを特徴とする請求項１から３のいずれかに記載のインクジェット記録装置。
【請求項６】
前記テーブルに形成された吸引孔から空気を吸引することにより、前記テーブルに前記記録媒体を吸着させる吸着手段と、
前記テーブルの上の前記記録媒体を搬送する搬送手段と、
を備えることを特徴とする請求項４または５に記載のインクジェット記録装置。
【請求項７】
前記搬送ベルトは、第１および第２の搬送ベルトを含み、
前記設定手段は、前記第１の搬送ベルトによって搬送される前記記録媒体の形態として前記第１の形態を設定し、前記第２の搬送ベルトによって搬送される前記記録媒体の形態として前記第２の形態を設定する
ことを特徴とする請求項１から３のいずれかに記載のインクジェット記録装置。
【請求項８】
搬送ベルトによって搬送される記録媒体に、記録ヘッドからインクを吐出することにより画像を記録するインクジェット記録方法であって、
前記搬送ベルトによって前記記録媒体を複数回搬送させる搬送工程と、
前記搬送ベルトによって搬送される前記記録媒体の形態として、前記記録媒体の端部が前記搬送ベルトの上に位置する第１の形態と、前記端部が前記搬送ベルトの上から外れて位置する第２の形態と、を設定する設定工程と、
前記記録媒体が前記第１の形態で搬送されるときに、前記端部に画像を記録するためのインクを前記記録ヘッドから吐出させず、前記記録媒体が前記第２の形態で搬送されるときに、前記端部に画像を記録するためのインクを前記記録ヘッドから吐出させる記録制御工程と、
を含むことを特徴とするインクジェット記録方法。
【発明の詳細な説明】
【技術分野】
【０００１】
本発明は、記録媒体の端部に余白を形成しないように画像を記録可能、つまり縁なし記録を実施可能なインクジェット記録装置およびインクジェット記録方法に関するものである。
【背景技術】
【０００２】
この種のインクジェット記録装置として、特許文献１および２には、記録ヘッドから、記録媒体上だけでなく、記録媒体を搬送する無端の搬送ベルト上にもインクを吐出して縁なし記録を行う構成が記載されている。これらの記録装置は、縁なし記録後に、搬送ベルト上に付着したインクをワイパーブレードやクリーニングローラなどを用いて清掃する構成となっている。
【先行技術文献】
【特許文献】
【０００３】
【特許文献１】特開平３−２２７６４８号公報
【特許文献２】特開２００９−２４１２８５号公報
【発明の概要】
【発明が解決しようとする課題】
【０００４】
しかしながら、上記のような特許文献に記載された記録装置は、無端ベルトを清掃するための清掃機構が特別に備わられており、その清掃機構の部品交換やメンテナンスを定期的に実施する必要がある。そのようなメンテナンスなどを実施しなかった場合には、搬送ベルト上に残ったインクによって、記録媒体の裏面が汚されるおそれがある。したがって、メンテナンス時の部品交換の手間、および交換部品のコストなどの発生は避けがたかった。また、搬送ベルトが高速回転する場合には、それを瞬時に清掃することが要求されるため、その搬送ベルト上のインクを除去することが困難となる。
【０００５】
本発明の目的は、搬送ベルトにインクを付着させることなく縁なし記録を実施することができるインクジェット記録装置およびインクジェット記録方法を提供することにある。
【課題を解決するための手段】
【０００６】
本発明のインクジェット記録装置は、搬送ベルトによって搬送される記録媒体に、記録ヘッドからインクを吐出することにより画像を記録するインクジェット記録装置であって、前記搬送ベルトによって前記記録媒体を複数回搬送させる搬送制御手段と、前記搬送ベルトによって搬送される前記記録媒体の形態として、前記記録媒体の端部が前記搬送ベルトの上に位置する第１の形態と、前記端部が前記搬送ベルトの上から外れて位置する第２の形態と、を設定可能な設定手段と、前記記録媒体が前記第１の形態で搬送されるときに、前記端部に画像を記録するためのインクを前記記録ヘッドから吐出させず、前記記録媒体が前記第２の形態で搬送されるときに、前記端部に画像を記録するためのインクを前記記録ヘッドから吐出させる記録制御手段と、を備えることを特徴とする。
【発明の効果】
【０００７】
本発明によれば、記録媒体の端部が搬送ベルト上に位置するときは、その端部に対する記録動作はせず、記録媒体の端部が搬送ベルト上に位置しないときに、その端部に対する記録動作を行う。これにより、搬送ベルトにインクを付着させることなく、記録媒体の端部に画像を記録するための縁なし記録を実施することができる。搬送ベルトにインクを付着しないために、記録媒体の裏面が汚されるおそれもなく、メンテナンス時の部品交換の手間、および交換部品のコストなどの発生を抑えることができる。
【図面の簡単な説明】
【０００８】
【図１】本発明の第１の実施形態における記録装置の要部の概略構成図である。
【図２】図１のＩＩ矢視図である。
【図３】図１の記録装置の制御系のブロック構成図である。
【図４】図１の記録装置による記録動作を説明するためのフローチャートである。
【図５】図１の記録装置の１回目の記録動作を説明するための概略平面図である。
【図６】図１の記録装置の１回目の記録動作時におけるインクの吐出状態の説明図である。
【図７】図１の記録装置におけるターンテーブルのシート搬送時の断面図である。
【図８】図１の記録装置におけるターンテーブルのシート吸着時の断面図である。
【図９】図１の記録装置の２回目の記録動作を説明するための概略平面図である。
【図１０】図１の記録装置の２回目の記録動作を説明するための概略平面図である。
【図１１】図１の記録装置の２回目の記録動作時におけるインクの吐出状態の説明図である。
【図１２】本発明の第２の実施形態における記録装置の概略平面図である。
【図１３】図１２の記録装置におけるスライド部の側面図である。
【図１４】図１２の記録装置の１回目の記録動作を説明するための概略平面図である。
【図１５】図１２の記録装置におけるスライド部の断面図である。
【図１６】図１２の記録装置の２回目の記録動作を説明するための概略平面図である。
【図１７】本発明の第３の実施形態における記録装置の概略平面図である。
【図１８】図１２の記録装置の記録動作を説明するための概略平面図である。
【発明を実施するための形態】
【０００９】
以下に、図面を用いて本発明の実施形態を詳細に説明する。  
【００１０】
（第１の実施形態）
図１は、本実施形態におけるインクジェット記録装置の概略正面図、図２は、図１のＩＩ矢視図である。
【００１１】
本発明のインクジェット記録装置において、給紙部２０１の給紙トレイ４には、記録媒体としてのシート３が複数枚積載されており、それらのシート３は、給紙ローラ４１および分離ローラ４２によって１枚ずつ分離されて搬送部３０１に給送される。給紙ローラ４１は、給紙ローラの駆動部３３（図３参照）によって駆動される。搬送部３０１には、シート３を矢印Ａ１方向（一方向）およびＡ２方向（逆方向）に搬送可能な搬送ベルト（無端ベルト）６が備えられている。本例の場合は、搬送ベルト６として、駆動軸１１と従動軸１２との間に掛け渡された４つの搬送ベルト６ａ，６ｂ，６ｃ，６ｄが備えられている。これらの搬送ベルト６ａ，６ｂ，６ｃ，６ｄは、所定の間隔をおいて並設されている。搬送ベルト６ａは、可逆転の搬送モータ７によって矢印Ａ１方向またはＡ２方向に回転駆動され、その回転が駆動軸１１を通して他の搬送ベルト６ｂ，６ｃ，６ｄへ伝達されることにより、全ての搬送ベルト６ａ，６ｂ，６ｃ，６ｄが同様に回転する。また、搬送ベルト６（６ａ，６ｂ，６ｃ，６ｄ）の上には、それらの上面を押圧する回転自在な複数の拍車１３が配備されている。また、搬送部３０１には、シート３を検知するための第１のシート検知センサ８ａが備えられている。
【００１２】
記録部１０１には、インクを吐出可能な記録ヘッド１が備えられており、その記録ヘッド１には、シート３の記録領域の幅方向（図２中の上下方向）の長さよりも長いノズル列が形成されている。ノズル列を形成する複数のノズルは、インクを吐出するために、電気熱変換素子（ヒータ）やピエゾ素子などの吐出エネルギー発生素子を用いる構成となっている。電気熱変換素子を用いた場合には、その発熱によってインクを発泡させ、その発泡エネルギーを利用してノズル先端の吐出口からインクを吐出することができる。本例の場合、記録ヘッド１として、シアン，マゼンタ，イエロー，ブラックのインクを吐出するための記録ヘッド１Ｃ，１Ｍ，１Ｙ，１Ｋが備えられている。これらの記録ヘッド１（１Ｃ，１Ｍ，１Ｙ，１Ｋ）は、それらの直下の記録位置に搬送されるシート３に対してインクを吐出することにより画像を記録する。搬送ベルト６を挟んで記録ヘッド1と対向する位置には、シート３の端部の外に吐出されたインクを受容するためのインク吸収体９が備えられている。
【００１３】
画像が記録されたシート３は、回転部４０１によって、水平面内において９０°回転される。回転部４０１のターンテーブルベース２１上には、上下方向の軸線Ｏを中心として回転可能なテーブル（ターンテーブル）２２が備えられており、そのターンテーブル２２は、駆動ベルト２４を介してテーブル駆動モータ２３により回転される。ターンテーブル２２の上面には複数の吸引口２６（図７参照）が形成されており、これらの吸引口２６から、ターンテーブル２２の上方の空気を吸引ファン２５（図３参照）によって吸引することにより、ターンテーブル上にシート３を吸着可能となっている。したがって、シート３は、ターンテーブル２２上に載置されて吸着されたまま、そのターンテーブル２２と共に回転される。
【００１４】
ターンテーブル２２の上部には、そのターンテーブル２２上のシート３を搬送するための駆動ローラ２７が正転および逆回転可能に配置されている。駆動ローラ２７は、駆動ローラ軸２８を中心として回動可能なガイド３１の一端部に備えられており、駆動ローラの駆動部３４（図６参照）によって正転および逆転駆動される。ガイド３１の他端部は、駆動ローラ２７をターンテーブル２２上に当接させるように、押圧バネ２９によって矢印Ｂ方向に付勢されている。ガイド３１は、カムの駆動部３５（図３参照）によって回転されるカム３０によって、押圧バネ２９の付勢力に抗して回動可能である。ガイド３１が押圧バネ２９の付勢力に抗して回動されることにより、駆動ローラ２７をターンテーブル２２から離間させることができる。また、回転部４０１には、シート３を検知するための第２のシート検知センサ８ｂが備えられている。
【００１５】
画像が記録されたシート３は、回転部４０１を経てから排紙部５０１に排出されることにより、排紙トレイ５上に積載される。記録部１０１、給紙部２０１、搬送部３０１、回転部４０１、および排紙部５０１は、後述する制御部６０１によって制御される。
【００１６】
図３は、このような記録装置の制御系の要部のブロック構成図である。記録装置の制御部６０１は、外部のパーソナルコンピュータ（ＰＣ）形態等のホスト装置７００から入力される画像データおよび種々のコマンドなどの情報、およびシート検知センサ８ａ，８ｂの検知信号に応じて記録装置を制御する。具体的には、後述するように、記録ヘッド１、モータ７および２３、吸引ファン２５、駆動部３３，３４，３５を制御する。
【００１７】
図４は、ＰＣなどのホスト装置７００から入力される画像データに基づいて、制御部６０１の記録制御（搬送制御を含む）を説明するためのフローチャートである。
【００１８】
制御部６０１は、ホスト装置７００から画像データを入力した後、その画像データに基づいて画像を記録したときの記録領域Ｒ１の大きさと、シート３の大きさ（面積）に対応するシート３の面領域Ｒ２の大きさと、を比較する（ステップＳ１，Ｓ２）。画像データに対応する領域Ｒ１が少なくともシート３の長さ方向（搬送方向）および幅方向（搬送方向と直交する方向）の一方において領域Ｒ２よりも大きい場合には、ステップＳ２からステップＳ３に進んで縁なし記録動作を行なう。一方、領域Ｒ１がシート３の長さ方向および幅方向のいずれにおいても領域Ｒ２よりも大きい場合には、ステップＳ２からステップＳ２３に進み、シート３の端部に余白を形成する通常の記録動作を行う。
【００１９】
（縁なし記録動作）
まずは、縁なし記録動作について説明する。本例においては、領域Ｒ１がシートの長さＬの方向および幅Ｗの方向の両方において領域Ｒ２よりも大きい場合について説明する。
【００２０】
まず、画像データを２回に分けて記録するように、ステップＳ３において、その記録データを分割する（分割処理）。つまり、入力した画像データを分割して、後述するように、1回目の記録動作時に記録すべき画像データと、２回目の記録動作によって記録すべき画像データと、を生成する。
【００２１】
その後、給紙部２０１がシート３の給紙動作を開始する（ステップＳ４）。すなわち、給紙ローラ４１および分離ローラユニット４２の回転により、給紙トレイ４に積載されている複数のシート３が１枚ずつ分離されて、搬送部３０１へと搬送される。また、搬送モータ７の正転により搬送ベルト６が回動されて、シート３が搬送ベルト６と拍車１３との間に狭持されながら矢印Ａ１方向に搬送される（ステップＳ５）。その後、このように搬送されるシート３の先端が第１のシート検知センサ８ａによって検知されるときを待つ（ステップＳ６）。そして、そのシート３の先端が検知された時点から、シート３が所定時間（所定距離）を搬送された後に、シート３の搬送位置に応じて記録ヘッド１からインクを吐出することにより、1回目の記録動作を開始する（ステップＳ７）。本例の場合、第１および第２のシート検知センサ８ａ，８ｂは、シート３を検知したときにＯＮとなり、それを検知しなくなったときにＯＦＦとなることによって、しーと３の先端および後端を検知することができる。
【００２２】
このような1回目の記録動作によって、図５のように、矢印Ａ１の搬送方向におけるシート３の先端部３ｂ側の領域３−２、および後端部３ｃ側の領域３−３に余白を形成し、残りの中央の領域３−１に対して、その幅方向の全域に画像が記録される。領域３−２，３−３は、シート３の先端部３ｂおよび後端部３ｃに位置し、かつ搬送ベルト６の上に位置する部分（端部）を含む。つまり、この1回目の記録動作において、シート３は、領域３−２，３−３に含まれる端部が搬送ベルト６の上に位置する形態（第１の形態）で搬送され、それらの領域３−２，３−３に対しては、画像を記録するためのインクが吐出されない。図５において、駆動ローラ２７およびその周辺部の構成の図示は省略されている。記録ヘッド1は、図６のように、領域３−１の左右の側端部３ａ，３ａから外にはみ出る領域に対してもインクを吐出することにより、それらの側端部３ａ，３ａに余白を形成しないように画像を記録する。それらの側端部３ａ，３ａの外に吐出されたインクは、搬送ベルト６に着弾することなくインク吸収体９に受容される。図６の場合、側端部３ａ，３ａの外に吐出されたインクは、搬送ベルト６ａと６ｂの間、および搬送ベルト６ｃと６ｄの間を通ってインク吸収体９に着弾する。
【００２３】
このように１回目の記録動作においては、前後の領域３−２，３−３に余白を形成し、中央の領域３−１に対しては側端部３ａ，３ａに余白を形成しないように画像を記録して、側端部３ａ，３ａの外に吐出されるインクはインク吸収体９に吸収させる。そのために、先のステップＳ３においては、このような条件を満たすように１回目の記録動作に必要な画像データを生成する。すなわち、領域３−２，３−３に余白を形成し、中央の領域３−１に対しては余白を形成することなく画像を記録するように、インクの吐出範囲つまり記録範囲が制限された記録データを生成する。しかも、側端部３ａ，３ａの外に吐出されるインクが搬送ベルト６に着弾せずに、搬送ベルト６から外れてインク吸収体９に着弾するように、インクの吐出範囲つまり記録範囲が制限された記録データを生成する。
【００２４】
このような１回目の記録動作が終了して、第２のシート検知センサ８ｂによるシート３の先端部３ｂの検出を待つ（ステップＳ８）。そして、そのセンサ３がシート３の先端部３ｂを検知してＯＮとなったとき、あるいは、そのときからシート３が所定時間（所定距離）を搬送された後に、図７のように、駆動ローラ２７を矢印Ｃ１方向に正転させる。駆動ローラ２７を駆動するための駆動部３４は、駆動軸３４Ａとベルト３４Ｂを含む。駆動ローラ２７の正転により、画像が記録されたシート３が矢印Ａ１方向に所定量搬送することにより（ステップＳ９）、シート３は、その重心がターンテーブル２２の回転中心とほぼ一致するように、ターンテーブル２２上に位置される（図７参照）。
【００２５】
駆動ローラ２７の停止後は、図８のように、吸引ファン２５の駆動を開始（ＯＮ）して吸引口２６から空気を吸引することにより（ステップＳ１０）、ターンテーブル２２上にシート３を吸着させる。その後、図８のようにカム３０を１８０°回転させることにより（ステップＳ１１）、駆動ローラ２７をターンテーブル２２上のシート３から離間させる。その後、図９のように、テーブル駆動モータ２３によってターンテーブル２２をシート３と共に右方あるいは左方に９０°回転させる（ステップＳ１２）。これにより、シート３の向きが変更される。ターンテーブル２２は、図２中の矢印Ｄ１方向またはＤ２方向のいずれかの方向に９０°ずつ回転するものであってもよい。本例の場合、ターンテーブル２２は、図２中矢印Ｄ１の左方向に回転するものとする。図９において、駆動ローラ２７およびその周辺部の構成の図示は省略されている。
【００２６】
次に、カム３０を一方向あるいは他方向に１８０°回転させて（ステップＳ１３）、駆動ローラ２７を再度シート３に当接させてから、吸引ファン２５を停止させて（ステップＳ１４）、シート３の吸引を解除する。駆動ローラ２７がシート３に再度当接してから所定時間経過後に、その駆動ローラ２７を図７中の矢印Ｃ２方向に逆転させて（ステップＳ１５）、シート３が矢印Ａ２方向に所定量搬送する。これにより、そのシート３が搬送ベルト６上に受け渡される。その後、搬送モータ７を逆転させて（ステップＳ１６）、搬送ベルト６によりシート３を矢印Ａ２方向に搬送する。そして、そのシート３の矢印Ａ２方向の前側に位置する側端部３ａが第１のシート検知センサ８ａによって検知されるときを待つ（ステップＳ１７）。そして、そのシート３の側端部３ａが検知された時点から、シート３が所定時間（所定距離）を搬送された後に搬送モータ７が停止して（ステップＳ１８）、図１０のように、シート３が記録部１０１よりも矢印Ａ１方向の上流側に位置する。図１０において、駆動ローラ２７およびその周辺部の構成の図示は省略されている。
【００２７】
その後、搬送モータ７の正転により搬送ベルト６を回動させて、シート３を矢印Ａ１方向に搬送する（ステップＳ１９）。そして、そのシート３の搬送位置に応じて記録ヘッド１からインクを吐出することにより、２回目の記録動作を開始する（ステップＳ２０）。
【００２８】
この２回目の記録動作により、１回目の記録動作によって余白が形成された領域３−２および領域３−３に対して、余白を残さないように画像を記録する。このとき、領域３−２，３−３は、搬送ベルト６ａ，６ｄの外側に位置し、搬送ベルト６の上に位置しない端部となる。つまり、この２回目の記録動作において、シート３は、領域３−２，３−３が搬送ベルト６の上に位置しない形態（第２の形態）で搬送され、それらの領域３−２，３−３に対しては、画像を記録するためのインクが吐出されることになる。記録ヘッド1は、図１１のように、領域３−２および領域３−３の領域３−１の同図中左右の端部３ｂ，３ｃから外にはみ出る領域に対してもインクを吐出することにより、それらの端部３ｂ，３ｃに余白を形成しないように画像を記録する。それらの端部３ｂ，３ｃの外に吐出されたインクは、搬送ベルト６に着弾することなくインク吸収体９に受容される。図１１の場合、端部３ｂ，３ｃの外に吐出されたインクは、搬送ベルト６ａの外側、および搬送ベルト６ｄの外側を通ってインク吸収体９に着弾する。
【００２９】
このように２回目の記録動作においては、１回目の記録動作によって余白が形成された領域３−２および領域３−３に対して、余白を残さないように画像を記録し、端部３ｂ，３ｃの外に吐出されるインクはインク吸収体９に吸収させる。そのために、先のステップＳ３においては、このような条件を満たすように２回目の記録動作に必要な画像データを生成する。すなわち、領域３−２および領域３−３に対して、端部３ｂ，３ｃに余白を形成することなく画像を記録するように、インクの吐出範囲つまり記録範囲が制限された記録データを生成する。しかも、端部３ｂ，３ｃの外に吐出されるインクが搬送ベルト６に着弾せずに、搬送ベルト６から外れてインク吸収体９に着弾するように、インクの吐出範囲つまり記録範囲が制限された記録データを生成する。
【００３０】
このように２回に分けて実施する記録動作により、搬送ベルト６にインクを着弾させることなく、シート３の４つの端部のいずれにも余白を形成しないような縁なし記録が可能となる。
【００３１】
その後、駆動ローラ２７を正転させることにより、縁なし記録されたシート３を矢印Ａ１方向に所定量搬送して（ステップＳ２１）、それを排紙トレイ５上に積載する。縁なし記録される全てのシート３に対しての記録が終了していなければステップＳ４に戻り、それら全てのシート３に対する記録が終了するまで以上の縁なし記録動作を繰り返す。
【００３２】
（通常の記録動作）
次に、シート３の端部に余白を形成する通常の記録動作について説明する。
【００３３】
まず、給紙部２０１がシート３の給紙動作を開始する（ステップＳ２３）。すなわち、給紙ローラ４１および分離ローラユニット４２の回転により、給紙トレイ４に積載されている複数のシート３が１枚ずつ分離されて、搬送部３０１へと搬送される。また、搬送モータ７の正転により搬送ベルト６が回動されて、シート３が搬送ベルト６と拍車１３との間に狭持されながら矢印Ａ１方向に搬送される（ステップＳ２４）。その後、このように搬送されるシート３の先端が第１のシート検知センサ８ａによって検知されるときを待つ（ステップＳ２５）。そして、そのシート３の先端が検知された時点から、シート３が所定時間（所定距離）を搬送された後に、シート３の搬送位置に応じて記録ヘッド１からインクを吐出することにより、記録動作を開始する（ステップＳ２６）。その記録動作は、シート３の４つの端部のいずれにも余白を形成するように画像を記録する通常の記録動作である。
【００３４】
その後、駆動ローラ２７を正転させることにより、画像が記録されたシート３を矢印Ａ１方向に所定量搬送して（ステップＳ２８）、それを排紙トレイ５上に積載する。記録すべき全てのシート３に対しての記録が終了していなければステップＳ２３に戻り、それら全てのシート３に対する記録が終了するまで以上の通常の記録動作を繰り返す。
【００３５】
（第２の実施形態）
本実施形態においては、一回目の縁なし記録動作後にシートをスライドさせることにより、搬送ベルトにインクを着弾させることなく縁なし記録を実施する。
【００３６】
図１２は、本実施形態の記録装置の要部の平面図であり、前述した第１の実施形態における図２と同様に部分には同一符号を付して、その部分の説明は省略する。本実施形態においては、前述した第１の実施形態における回転部４０１の代わりにスライド部４０２が配備されている。図１２において、駆動ローラ２７およびその周辺部の構成の図示は省略されている。
【００３７】
図１３に示すように、スライド部４０２のスライドガイド５１には、矢印Ａ１，Ａ２方向と直交する矢印Ｅ１，Ｅ２方向に移動可能なテーブル（スライドテーブル）５２が備えられている。スライドテーブル５２は、スライド駆動モータ５３によって回転される駆動ベルト５４が連結されており、そのモータ５３の回転方向に応じて矢印Ｅ１，Ｅ２方向に移動される。スライドテーブル５２のスライド量は、スライドテーブル５２に設定された検知対象部位をテーブルポジションセンサ５５が検知した時点を基準として設定することができる。スライドテーブル５２の空間内には吸引ファン５６が備えられており、スライドテーブル５２上に複数設けられた吸引孔５７から空気を吸引することにより、スライドテーブル５２上にシート３が吸着される。これにより、スライドテーブル５２は、その上にシート３を吸着したまま、矢印Ｅ１，Ｅ２方向に移動することができる。スライドテーブル５２の上部には、図１５のように、前述した実施形態と同様に駆動ローラ２７が配置されており、カム３０の回転に応じて、駆動ローラ２７がスライドテーブル５２に当接および離間可能な構成となっている。
【００３８】
本実施形態においても２回の記録動作に分けて縁なし記録を行う。
【００３９】
１回目の記録動作においては、給紙部２０１から１枚ずつ分離して搬送されるシート３に対し、制御部６０１のデータ処理（図４のステップＳ３に対応）によって分割された記録データに基づいて、図１４に示すようにシート３の領域３−１１に画像を記録する。領域３−１１は、シート３の前端部３ｂ側の領域３−１２，３−１２と、後端部３ｃ側の領域３−１３，３−１３を除く領域であり、この領域３−１１に対して、その幅方向および長さ方向の全域に画像が記録される。これらの領域３−１２，３−１３は、搬送ベルト６ｂ，６ｃの上に位置する部分（端部）である。つまり、この1回目の記録動作において、シート３は、領域３−１２，３−１３が搬送ベルト６の上に位置する形態（第１の形態）で搬送され、それらの領域に対しては、画像を記録するためのインクが吐出されない。記録ヘッド１は、領域３−１１の左右の側端部３ａ，３ａ、前端部３ｂ、および後端部３ｃから外にはみ出る領域に対してもインクを吐出することにより、領域３−１１内に余白を形成しないように画像を記録する。領域３−１１の外に吐出されたインクは、搬送ベルト６に着弾することなくインク吸収体９に受容される。本例の場合、領域３−１２，３−１３は搬送ベルト６ｂ，６ｃに対応する位置にあり、これらの領域に余白を形成するようにインクを吐出することにより、それらの搬送ベルト６ｂ，６ｃにインクが着弾することはない。これらの余白の領域３−１２，３−１３を形成することにより、シート３の前端部３ｂおよび後端部３ｃの外に吐出されるインクの搬送ベルト６ｂ，６ｃへの着弾が回避できる。
【００４０】
このように１回目の記録動作においては、前後の領域３−１２，３−１３に余白を形成し、他の領域３−１１に対しては、側端部３ａ，３ａ、前端部３ｂ、および後端部３ｃに余白を形成しないように画像を記録する。そのために、制御部６０１は、このような条件を満たすように１回目の記録動作に必要な画像データを生成する（図４のステップＳ３）。すなわち、領域３−１２，３−１３に余白を形成し、他の領域３−１１に対しては余白を形成することなく画像を記録するように、インクの吐出範囲つまり記録範囲が制限された記録データを生成する。しかも、側端部３ａ，３ａ、前端部３ｂ、および後端部３ｃの外に吐出されるインクが搬送ベルト６に着弾せずに、搬送ベルト６から外れてインク吸収体９に着弾するように、インクの吐出範囲つまり記録範囲が制限された記録データを生成する。
【００４１】
このような１回目の記録動作の後、シート３はスライド部４０２のスライドテーブル５２上に搬送される。そのシート３は、その先端部がシート検知センサ５８によって検知されてから、駆動ローラ２７によって所定時間（所定量）を搬送されることにより、図１４のように吸引孔５７を塞ぐ位置に止まる。その後、図１５のように、吸引ファン５６が回転して、シート３がスライドテーブル５２に密着される。同時に、駆動ローラ２７がスライドテーブル５２から離間される。
【００４２】
その後、図１６に示すように、スライドテーブル５２はシート３を吸着したまま、駆動モータ５３によって矢印Ｅ１方向にスライドされる。スライドテーブル５２は、そこに設定された検知対象部位がテーブルポジションセンサ５５によって検知されるたときに、矢印Ｅ１方向のスライドが停止される。そのスライドが停止したときに、シート３の領域３−１２，３−１３は、図１６のように搬送ベルト６と重ならない位置となる。
【００４３】
その後、吸引ファン５６が停止してから、前述した実施形態と同様に、駆動ローラ２７によりシート３が矢印Ａ２方向に搬送されて、そのシート３が記録部１０１よりも矢印Ａ１方向の上流側に位置される。その後、搬送モータ７の正転によりシート３を矢印Ａ１方向に搬送し、そのシート３の搬送位置に応じて記録ヘッド１からインクを吐出することにより、２回目の記録動作を行う。
【００４４】
この２回目の記録動作により、１回目の記録動作によって余白が形成された領域３−１２，３−１３に対して、余白を残さないように画像を記録する。このとき、領域３−１２，３−１３は、搬送ベルト６ａ,６ｂの間、および搬送ベルト６ｃ,６ｄの間に位置し、搬送ベルト６の上に位置しない端部となる。つまり、この２回目の記録動作において、シート３は、領域３−１２，３−１３が搬送ベルト６の上に位置しない形態（第２の形態）で搬送され、それらの領域３−１２，３−１３に対して、画像を記録するためのインクが吐出されることになる。記録ヘッド1は、それらの領域３−１２，３−１３から端部３ｂ，３ｃの外にはみ出る領域に対してもインクを吐出することにより、それらの端部３ｂ，３ｃに余白を形成しないように画像を記録する。それらの端部３ｂ，３ｃの外に吐出されたインクは、搬送ベルト６に着弾することなくインク吸収体９に受容される。本例の場合、端部３ｂ，３ｃの外に吐出されたインクは、搬送ベルト６ａ，６ｂの間、および搬送ベルト６ｂ，６ｃの間を通ってインク吸収体９に着弾する。
【００４５】
このように２回目の記録動作においては、１回目の記録動作によって余白が形成された領域３−１２および領域３−１３に対して、余白を残さないように画像を記録し、端部３ｂ，３ｃの外に吐出されるインクはインク吸収体９に吸収させる。そのために、制御部６０１は、このような条件を満たすように２回目の記録動作に必要な画像データを生成する（図４のステップＳ３）。すなわち、領域３−１２および領域３−１３に対して、端部３ｂ，３ｃに余白を形成することなく画像を記録するように、インクの吐出範囲つまり記録範囲が制限された記録データを生成する。しかも、端部３ｂ，３ｃの外に吐出されるインクが搬送ベルト６に着弾せずに、搬送ベルト６から外れてインク吸収体９に着弾するように、インクの吐出範囲つまり記録範囲が制限された記録データを生成する。
【００４６】
このように、本実施形態においても２回に分けて実施する記録動作により、搬送ベルト６にインクを着弾させることなく、シート３の４つの端部のいずれにも余白を形成しないような縁なし記録が可能となる。また、シート３の端部に余白を形成する通常の記録動作は、前述した実施形態と同様に実施することができる。
【００４７】
（第３の実施形態）
本実施形態においては２つの記録部を用いて縁なし記録を行う。
【００４８】
図１７は、本実施形態の記録装置の要部の平面図であり、前述した第１の実施形態における図２と同様に部分には同一符号を付して、その部分の説明は省略する。本実施形態においては、前述した第１の実施形態における回転部４０１の代わりに受け渡し部４０２が配備され、さらに、第１の実施形態における搬送部３０１が２組配備されて、それぞれの搬送部３０１に対して記録部１０１が備えられている。以下、２つの搬送部３０１の一方を第１の搬送部３０１−１とし、他方を第２の搬送部３０１−２とする。同様に、２つの記録部１０１の一方を第１の記録部とし、他方を第２の記録部１０１−２とする。
【００４９】
本実施形態においても２回の記録動作に分けて縁なし記録を行う。
【００５０】
１回目の記録動作において、給紙部２０１から１枚ずつ分離されたシート３は、第１の搬送部３０１−１の搬送ベルト（第１の搬送ベルト）６よって矢印Ａ１方向に搬送される。第１の記録部１０１−１は、制御部６０１のデータ処理（図４のステップＳ３に対応）によって分割された記録データに基づいて、図１８に示すようにシート３の領域３−２１に画像を記録する。領域３−２１は、シート３の前端部側の領域３−２２と、後端部側の領域３−２３を除く領域であり、この領域３−２１の全域に画像が記録される。第１の記録部１０１−１の記録ヘッド１は、領域３−２１の左右の側端部から外にはみ出る領域に対してもインクを吐出することにより、領域３−２１内に余白を形成しないように画像を記録する。領域３−２１の外に吐出されたインクは、搬送ベルト６に着弾することなくインク吸収体９に受容される。本例の場合、それらのインクは、搬送ベルト６ａ，６ｂの間、および搬送ベルト６ｃ、６ｄの間を通ってインク吸収体９に着弾する。制御部６０１は、このような１回目の記録動作に必要な画像データを生成する（図４のステップＳ３）。
【００５１】
このような１回目の記録動作により画像が記録されたシート３は受け渡し部４０３上に搬送される。受け渡し部４０３には、図１７のように、回転軸が矢印Ａ１，Ａ２方向に対して傾斜するローラ６１、基準壁６２が配備されている。また、受け渡し部４０３には、ローラ６１上に位置するシート３をローラ６１に押圧するための不図示のピンチローラが備えられている。受け渡し部４０３上に搬送されたシート３は、ローラ６１と不図示のピンチローラとの間に挟持されて、ローラ６１の回転により第２の搬送部３０１−２の方向に搬送される。その際、シート３は、基準壁６２に押し付けられながら搬送されるため、その基準壁６２によって規制された搬入位置から第２の搬送部３０１−２に受け渡される。
【００５２】
その後、第２の搬送部３０１−２の搬送ベルト（第２の搬送ベルト）６によってシート３が矢印Ｆ方向に搬送され、そのシート３の搬送位置に応じて第２の記録部１０１−２の記録ヘッド１がインクを吐出することにより、２回目の記録動作を行う。
【００５３】
この２回目の記録動作により、１回目の記録動作によって余白が形成された領域３−２２，３−２３に対して、余白を残さないように画像を記録する。記録ヘッド1は、それらの領域３−２２，３−２３から外にはみ出る領域に対してもインクを吐出することにより、それらの領域３−２２，３−２３に余白を形成しないように画像を記録する。それらの領域３−２２，３−２３の外に吐出されたインクは、搬送ベルト６に着弾することなくインク吸収体９に受容される。本例の場合、それらのインクは、搬送ベルト６ａの外側、および搬送ベルト6ｄの外側を通ってインク吸収体９に着弾する。
【００５４】
このように、本実施形態においても２回に分けて実施する記録動作により、搬送ベルト６にインクを着弾させることなく、シート３の４つの端部のいずれにも余白を形成しないような縁なし記録が可能となる。また、シート３の端部に余白を形成する通常の記録動作は、第１または第２の記録部の一方に備わる記録ヘッドかを用いて実施することができる。
【００５５】
（他の実施形態）
本発明は、搬送ベルトによって記録媒体を複数回搬送させたときに、その搬送形態として、記録媒体の端部が搬送ベルト上に位置する形態と、その端部が搬送ベルト上に位置しない形態と、が設定可能となるように、記録媒体の搬送姿勢や位置が変更できればよい。記録媒体を複数回搬送させるためには、前述した実施形態のように、１つの搬送部に備わる搬送ベルトを複数回用いる構成、および複数の搬送部のそれぞれに備わる搬送ベルトを用いる構成のいずれも採用することができる。
【００５６】
また、縁なし記録は、記録媒体の少なくと1つの縁部（辺部）あるいは端部に、余白を形成することなく画像を記録することを含む。また、本発明における記録方式は、前述したように長尺な記録ヘッドを用いるフルライン方式のみに特定されず、記録媒体の搬送方向と交差する方向における記録ヘッドの記録走査を伴って画像を記録するシリアルスキャン方式などであってもよい。
【符号の説明】
【００５７】
１  記録ヘッド
３  シート（記録媒体）
６    搬送ベルト
２２  ターンテーブル（テーブル）
２５  吸引ファン
２６  吸引孔
２７  駆動ローラ
５２  スライドテーブル（テーブル）
５６  吸引ファン
５７  吸引孔
６０１  制御部
【図１】
2013252620.tif 000003
【図２】
2013252620.tif 000004
【図３】
2013252620.tif 000005
【図４】
2013252620.tif 000006
【図５】
2013252620.tif 000007
【図６】
2013252620.tif 000008
【図７】
2013252620.tif 000009
【図８】
2013252620.tif 000010
【図９】
2013252620.tif 000011
【図１０】
2013252620.tif 000012
【図１１】
2013252620.tif 000013
【図１２】
2013252620.tif 000014
【図１３】
2013252620.tif 000015
【図１４】
2013252620.tif 000016
【図１５】
2013252620.tif 000017
【図１６】
2013252620.tif 000018
【図１７】
2013252620.tif 000019
【図１８】
2013252620.tif 000020